(57)【要約】【課題】  車椅子利用者が操作盤を操作し易く、一般の利用者との衝突も確実に防止できる手摺を備えたエレベータ乗りかご装置を提供する。【解決手段】  乗りかご１１の出入り口１３から見て側方の壁面１１ｂの、車椅子利用者が操作可能な高さ位置に設けたる操作盤１５の、行き先階ボタンを設けた操作面１６が、壁面１１ｂより所定高さ乗りかご内に向って突出している。また、この操作面１６の両側方の壁面１１ｂ上に、この操作盤１５の両側辺に沿って縦向きに一対の手摺１７を設け、その長さ方向に沿う上辺の、壁面１１ｂからの高さが、操作面１６より高く位置するように形成した。【選択図】図１
2013095566.tif 000002
【特許請求の範囲】
【請求項１】
乗りかごの出入り口から見て側方の壁面の、車椅子利用者が操作可能な高さ位置に設けられ、行き先階ボタンを設けた操作面が、前記壁面より所定高さ乗りかご内に向って突出している操作盤と、
この操作盤の両側方の前記壁面上に、この操作盤の両側辺に沿って縦向きに設けられ、その長さ方向に沿う上辺の、前記壁面からの高さが、前記操作面より高く位置するように形成された一対の手摺と、
を備えたことを特徴とするエレベータ乗りかご装置。
【請求項２】
乗りかごの出入り口から見て側方の壁面の、車椅子利用者が操作可能な高さ位置に設けられ、行き先階ボタンを設けた操作面が、前記壁面より所定高さ乗りかご内に向って突出している操作盤と、
この操作盤周囲の前記壁面上に、この操作盤の両側辺、及び下辺に沿ってＵ字状に設けられ、その長さ方向に沿う上辺の、前記壁面からの高さが、前記操作面より高く位置するように形成された手摺と、
を備えたことを特徴とするエレベータ乗りかご装置。
【請求項３】
乗りかごの出入り口から見て側方の壁面の、車椅子利用者が操作可能な高さ位置に設けられ、行き先階ボタンを設けた操作面が、前記壁面より所定高さ乗りかご内に向って突出している操作盤と、
この操作盤の両側方の前記壁面上に、この操作盤の両側辺に沿う縦部分、及びこれら縦部分の下端からそれぞれ操作盤の外方に向って延在する横部分からなり、前記縦部分の長さ方向に沿う上辺の、前記壁面からの高さが、前記操作面より高く位置するように形成されたＬ字及び逆Ｌ字状の手摺と、
を備えたことを特徴とするエレベータ乗りかご装置。
【請求項４】
前記操作面の前記壁面からの突出高さを、前記乗りかごの出入り口側より奥側の方を高くして操作面を傾斜させたことを特徴とする請求項１乃至請求項３のいずれかに記載のエレベータ乗りかご装置。
【請求項５】
前記操作面の前記壁面からの突出高さを、前記操作盤の上部より下部の方を高くして操作面を傾斜させたことを特徴とする請求項１乃至請求項４のいずれかに記載のエレベータ乗りかご装置。
【請求項６】
前記手摺の、前記操作面の両側面に沿う部分の長さ方向上辺部が、前記操作面に沿って傾斜していることを特徴とする請求項５に記載のエレベータ乗りかご装置。
【請求項７】
前記手摺の横部分を、その先端部における前記壁面からの高さを前記縦部分に接続された基端部の高さより低くして、前記横部分を傾斜させたことを特徴とする請求項３に記載のエレベータ乗りかご装置。
【発明の詳細な説明】
【技術分野】
【０００１】
本発明の実施形態は、車椅子利用者用の操作盤を設けたエレベータ乗りかご装置に関する。
【背景技術】
【０００２】
エレベータ乗りかごには、車椅子利用者が操作可能なように、通常の操作盤とは別に、乗りかご内側壁面の比較的低い位置に、車椅子利用者用の操作盤を設けているものがある。このようなエレベータ乗りかごでは、車椅子利用者用の操作盤は、これまで、その操作面が乗りかごの壁面と同一面上に設けられていた。このため、車椅子に乗った利用者が操作面に設けられた行き先階ボタン等を操作する場合、操作盤との間に車椅子の一部が介在することから、操作し難い面があった。
【０００３】
また、低い位置に設けた操作盤の操作面が若干上向きとなるように、壁面に対して傾斜させ、一般のエレベータ利用者にも操作しやすいように構成したものが提案されている。
【先行技術文献】
【特許文献】
【０００４】
【特許文献１】特開２００９−２８０３８９号公報
【発明の概要】
【発明が解決しようとする課題】
【０００５】
しかし、上記構成のエレベータ乗りかごでは、操作面が若干上向きとなるように傾斜しているため、操作面の下部が壁面より乗りかごの内側に突出することとなり、一般の利用者がこの突出部分に衝突するなどの問題が生じる。これを防ぐため、操作盤の一部に一体的に手摺を設けて、操作盤との衝突を防ぐことも考えられているが、充分なものではなかった。
【０００６】
本発明が解決しようとする課題は、車椅子利用者が操作盤を操作し易く、一般の利用者との衝突も確実に防止できる手摺を備えたエレベータ乗りかご装置を提供することにある。
【課題を解決するための手段】
【０００７】
本発明の実施の形態によるエレベータ乗りかご装置は、乗りかごの出入り口から見て側方の壁面の、車椅子利用者が操作可能な高さ位置に設けられ、行き先階ボタンを設けた操作面が、前記壁面より所定高さ乗りかご内に向って突出している操作盤と、この操作盤の両側方の前記壁面上に、この操作盤の両側辺に沿って縦向きに設けられ、その長さ方向に沿う上辺の、前記壁面からの高さが、前記操作面より高く位置するように形成された一対の手摺とを備えたことを特徴とする。
【図面の簡単な説明】
【０００８】
【図１】本発明の一実施の形態に係るエレベータ乗りかご装置を示す平面の図である。
【図２】本発明の一実施の形態における操作盤部分を、手摺と共に示す斜視図である。
【図３】本発明の一実施の形態における操作盤部分を、他の手摺形状と共に示す斜視図である。
【図４】本発明の一実施の形態における操作盤部分を、さらに他の手摺形状と共に示す斜視図である。
【図５】本発明の他の実施の形態に係るエレベータ乗りかご装置を示す平面の図である。
【図６】本発明の他の実施の形態における操作盤部分を、手摺と共に示す斜視図である。
【発明を実施するための形態】
【０００９】
以下、本発明の実施の形態について、図面を参照して詳細に説明する。
【００１０】
図１はこの実施の形態によるエレベータ乗りかご装置の平面図であり、図２はその操作盤部分を取り出して示す斜視図である。
【００１１】
これらの図において、乗りかご１１は、図示しない建物の昇降路内に設けられ、図示しないモータなどにより昇降駆動される。この乗りかご１１の一面には開閉扉１２を有する乗客の出入り口１３が設けられている。また、その内部には、その出入り口１３に隣接する壁面１１ａの、一般乗客が操作可能な高さ位置に、一般乗客用の操作盤１４が設けられている。この他、出入り口１３から見て側方の壁面１１ｂには、車椅子に乗った利用者が操作可能な比較的低い高さ位置に、車椅子利用者用の操作盤１５が設けられている。この操作盤１５の操作面１６には、行き先階ボタンや階床表示器などが設けられている。この操作盤１５は、その操作面１６が、壁面より乗りかご１１内に向って所定高さ（例えば、２００ｍｍ程度）突出した形状で壁面に取り付けられている。
【００１２】
この操作盤１５が設けられた壁面上には、この操作盤１５の両側辺に沿って一対の手摺１７が縦向きに設けられている。この一対の手摺１７は、横断面が円形又は楕円形を成すもので、長さ方向に沿う上辺は、壁面からの高さが、操作面１６より３０ｍｍ程度高く位置するように形成され、操作面１６を側方からの衝突物体からガードしている。また、この手摺１７の長さ方向に沿う側辺と操作盤１５の側辺との間隔は、手摺１７の外周を掴める程度の間隔でよく、例えば２０〜３０ｍｍ程度の間隔を保つように構成する。さらに、この手摺１７の長さは、操作盤の縦方向の寸法と同じか、或いは僅かに大きく設定する。なお、手摺１７の材質は金属、樹脂、木材の何れでも構わず、その横断面は前述のように円形又は楕円形など、外周形状が曲面となる形状とする。
【００１３】
ここで、操作盤１５の壁面１１ｂからの突出高さを２００ｍｍ程度突出させたので、車椅子に乗車した利用者が操作する場合、乗りかご１１の出入り口１３からかご内に入った利用者は、側方壁面１１ｂに設けられた操作盤１５の操作面１６と、図１で示すように斜めに対向することとなる。この場合、操作盤１５の下方に、車椅子の前部と車椅子利用者のひざ部分が入り込むため、操作盤１５の操作面１６が車椅子利用者に対して接近して位置することとなり、行き先ボタンの操作などが格段に容易となる。
【００１４】
また、この操作盤１５の両側に、その両側辺に沿う一対の縦方向の手摺１７を設け、その長さ方向に沿う上辺の、壁面１１bからの高さを操作面１６より高く設定したので、この手摺により一般のエレベータ使用者が、壁面１１ｂより突出した操作盤１５に側方から衝突することを有効に防止することができる。このため、一般のエレベータ使用者が操作盤１５の側辺角部に当接することで負傷したり、反対に操作盤１５が使用者との衝突により損傷することを防止できる。
【００１５】
また、手摺１７は操作盤１５に近接して設けられているので、車椅子利用者が操作盤１５を操作する際、片手でこの手摺１７を掴むことにより、車椅子は操作盤１５の近接位置に固定され、車椅子利用者は、安定した状態で他方の手により操作面１６上の行き先階ボタンなどを操作することができる。
【００１６】
上記実施の形態では、操作盤１５に対して一対の縦向きの手摺１７を設けたが、この一対の手摺１７に代わって、図３で示すように、Ｕ字状の手摺２１を設けてもよい。このＵ字状の手摺２１は、操作盤１５の両側辺、及び下辺に沿って設けられている。この手摺２１も、長さ方向に沿う上辺は、壁面１１ｂからの高さが、操作面１６より３０ｍｍ程度高く位置するように形成されている。また、この手摺２１の長さ方向に沿う側辺と操作盤１５の側辺との間隔は、手摺２１の外周を掴める程度の間隔でよく、例えば２０〜３０ｍｍ程度の間隔を保つように構成する。
【００１７】
このＵ字状の手摺２１は、前述した一対の縦向きの手摺１７に対して、操作盤１５の下辺部をガードする水平部分を有することになる。ここで、車椅子利用者が乗りかご１１内に乗車せず、一般使用者のなかに小児がいる場合、小児の頭部が操作盤１５の下辺角部に当接するおそれがある。しかし、Ｕ字状の手摺２１は、操作盤１５の下辺部をガードする水平部分を有しているので、小児の頭部が操作盤１５の下辺角部に当接して負傷するようなことを確実に防止できる。
【００１８】
さらに、図４で示す実施形態では、操作盤１５の両側方の壁面１１ｂ上に、Ｌ字及び逆Ｌ字状の手摺２３Ｒ，２３Ｌを設けている。すなわち、これらＬ字及び逆Ｌ字状の手摺２３Ｒ，２３Ｌは、操作盤１５の両側辺に沿う縦部分、及びこれら縦部分の下端からそれぞれ操作盤１５の外方（左右方向）に向って延在する横部分からなる。このＬ字及び逆Ｌ字状の手摺２３Ｒ，２３Ｌも、長さ方向に沿う上辺は、壁面からの高さが、操作面１６より３０ｍｍ程度高く位置するように形成されている。また、縦部分の長さ方向に沿う側辺と操作盤１５の側辺との間隔は、縦部分の外周を掴める程度の間隔でよく、例えば２０〜３０ｍｍ程度の間隔を保つように構成する。
【００１９】
これらＬ字及び逆Ｌ字状の手摺２３Ｒ，２３Ｌは、操作盤１５の両側辺に沿う縦部分、及びこれら縦部分の下端から操作盤１５の外方に向って延在する横部分を有するため、これら縦部分、及び横部分により、一般使用者の操作盤１５への側方からの衝突を、より一層確実に防止できる。
【００２０】
上記各実施の形態では、壁面１１ｂと平行な操作面１６を有する操作盤１５を用いていたが、図５及び図６で示すように、操作面２６が乗りかご１１の出入り口１３側に向くように傾斜させた操作盤２５を用いてもよい。すなわち、操作盤２５の壁面１１ｂからの突出高さを、乗りかご１１の出入り口１３側（図示右側）より奥側（図示左側）の方を高くして操作面２６を傾斜させている。
【００２１】
このように形状にすると、図５で示すように、出入り口１３から乗りかご内に入った車椅子利用者は、出入り口１３側に向いた操作面２６を容易に目視確認することができ、操作性がより一層向上する。
【００２２】
また、この出入り口１３側に向いた状態で傾斜している操作面２６を、さらに図示のように、若干上向きに傾斜させてもよい。すなわち、操作盤２５の壁面１１ｂからの突出高さを、上部より下部の方を高くして操作面２６を若干上向きにも傾斜させている。
【００２３】
このように操作面２６を若干上向きにも傾斜させると、操作面２６に設けられた行き先階ボタンに対する車椅子利用者の操作がより一層行い易くなることが確認されている。
【００２４】
このような形状の操作盤２５に対しても、図２乃至図４で示した一対の手摺１７やＵ字状の手摺２１、さらにはＬ字及び逆Ｌ字状の手摺２３Ｒ，２３Ｌを設けてもよい。
【００２５】
図２乃至図４で示した各手摺１７，２１，２３Ｒ，２３Ｌは、壁面１１ｂからの高さが一様であり、壁面１１ｂに対して平行な形状であるが、図５及び図６で示すように、手摺の、操作面２６の両側面に沿う縦部分の長さ方向上辺部が、操作面２６に沿って傾斜している手摺３１を用いてもよい。
【００２６】
図５及び図６ではＬ字及び逆Ｌ字状の手摺３１Ｒ，３１Ｌの場合を示しており、それぞれ操作盤１５の外方に向って延在する横部分を有する。このようなＬ字及び逆Ｌ字状の手摺３１Ｒ，３１Ｌの場合、図５で示すように、それらの横部分の先端部における壁面１１ｂからの高さを、縦部分に接続された基端部の高さより低くして傾斜させてもよい。
【００２７】
図５のようにＬ字及び逆Ｌ字状の手摺３１Ｒ，３１Ｌを形成すると、一般使用者との衝突の可能性が低い操作盤２５から離れた位置における内壁１１ｂからの高さが低くなるため、乗りかご１１内の収容能力を大きく損なうことはない。
【００２８】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２９】
１１…エレベータ乗りかご
１１ｂ…壁面
１３…出入口
１５，２５…操作盤
１６，２６…操作面
１７，２１，２３，３１…手摺
【図１】
2013095566.tif 000003
【図２】
2013095566.tif 000004
【図３】
2013095566.tif 000005
【図４】
2013095566.tif 000006
【図５】
2013095566.tif 000007
【図６】
2013095566.tif 000008